(57)【要約】【課題】簡単な構成で、硬貨収納部に収納されている硬貨を１枚ずつ分離して繰り出すことができる技術を提供する【解決手段】硬貨繰出機構２１は、複数枚の硬貨を収納する硬貨収納部４０と、硬貨収納部４０から硬貨を外部に送出する送出部４２に向かって、複数の硬貨を運搬する硬貨運搬部３１と、硬貨収納部４０と送出部４２との間に配置され、複数枚の硬貨が重なった状態で送出部４２に達するのを規制する規制部材４３と、規制部材４３が変位した変位量を検出する変位検出部３５と、を備える。硬貨運搬部３１は、変位検出部３５によって検出された変位量が所望の閾値を超えた場合、硬貨の運搬方向を硬貨収納部４０に戻す方向にする。【選択図】図４
2019159854.tif 000002
【特許請求の範囲】
【請求項１】
複数枚の硬貨を収納する硬貨収納部と、
前記硬貨収納部から前記硬貨を外部に送出する送出部に向かって、前記複数の硬貨を運搬する硬貨運搬部と、
前記硬貨収納部と前記送出部との間に配置され、前記複数の硬貨が重なった状態で前記送出部に達するのを規制する規制部材と、
前記規制部材が変位した変位量を検出する変位検出部と、
を備え、
前記硬貨運搬部は、前記変位検出部によって検出された前記変位量が所望の閾値を超えた場合、前記硬貨の運搬方向を前記硬貨収納部に戻す方向にする、
硬貨繰出機構。
【請求項２】
前記硬貨運搬部は、前記硬貨収納部に収納されている前記硬貨に接触する接触面を有する回転円盤を、前記接触面に貫通する方向に延びる回転軸を中心にして回転させることによって前記硬貨収納部に収納されている前記硬貨を、前記送出部に向かって運搬する、
請求項１に記載の硬貨繰出機構。
【請求項３】
前記硬貨運搬部は、前記硬貨を前記硬貨収納部から前記送出部に向かって運搬する運搬路の速度が変化した場合、前記変位検出部によって検出された前記変位量に応じて、前記硬貨を前記硬貨収納部に戻す方向に運搬する時間を設定する、
請求項１又は２に記載の硬貨繰出機構。
【請求項４】
前記規制部材は、回動軸を中心に、基準位置から前記異なる位置へ変位する、
請求項１乃至３の何れか一項に記載の硬貨繰出機構。
【請求項５】
前記変位検出部は、前記回動軸の回転量を検出するロータリーエンコーダを有する、
請求項４に記載の硬貨繰出機構。
【請求項６】
複数枚の硬貨を収納する硬貨収納部から前記硬貨を外部に送出する送出部に向かって、前記複数の硬貨を運搬し、
前記硬貨収納部と前記送出部との間に配置された規制部材によって、前記複数の硬貨が重なった状態で前記送出部に達するのを規制し、
前記規制部材が変位した変位量を検出し、
検出された前記変位量が所望の閾値を超えた場合、前記硬貨を前記硬貨収納部に戻す方向に切り替える、
硬貨繰出方法。
【発明の詳細な説明】
【技術分野】
【０００１】
この発明は、投入された硬貨を一枚ずつ分離して繰り出す技術に関する。
【背景技術】
【０００２】
従来、硬貨を処理する硬貨処理ユニットは、キップ等の乗車券を販売する券売機、取引金額を精算する精算機、物品を販売する自動販売機等の様々な種類の機器に用いられている。硬貨処理ユニットには、利用者等の使い勝手を向上させるため、一度に複数枚の硬貨を投入できる構成のものがある。この構成の硬貨処理ユニットは、一度に投入された複数枚の硬貨を一旦硬貨収納部に収納する。硬貨処理ユニットは、硬貨収納部に収納した硬貨を１枚ずつ繰り出す硬貨繰出機構を備えている（特許文献１、２等参照）。
【０００３】
硬貨繰出機構は、硬貨収納部の中に投入された硬貨が盤面の下部に自重で接触する回転盤を備えている。この回転盤には、盤面上に突起が設けられている。硬貨繰出機構は、回転盤を、盤面に対して略直交する回転軸で回転させることにより、硬貨収納部に収納されている硬貨を、突起に引っ掛けて掻き出す。硬貨収納部から掻き出された硬貨は、外部（硬貨搬送路）に繰り出される。
【０００４】
繰り出された硬貨は、硬貨搬送路に沿って搬送され、識別部で金種や真偽を識別する識別処理が行われる。また、識別部における識別処理の識別結果に応じてスタッカや返金口等に搬送する搬送処理が行われる。
【先行技術文献】
【特許文献】
【０００５】
【特許文献１】特開２０１０−２６２４７９号公報
【特許文献２】特開２０１４−１９１８０４号公報
【発明の概要】
【発明が解決しようとする課題】
【０００６】
しかしながら、回転盤（回転円盤）の盤面上に設けられた突起が、複数枚の硬貨を引っ掛けて、掻き出すことがある。硬貨を１枚ずつ硬貨搬送路に繰り出すには、回転円盤の盤面上に設けられた突起が引っ掛けて掻き出した硬貨を１枚にする必要がある。すなわち、回転円盤の突起が複数枚の硬貨を引っ掛けて掻き出した場合には、余分な硬貨を硬貨収納部に戻す（落す）必要がある。
【０００７】
この発明の目的は、簡単な構成で、硬貨収納部に収納されている硬貨を１枚ずつ分離して繰り出すことができる技術を提供することにある。
【課題を解決するための手段】
【０００８】
この発明の硬貨繰出機構は、上記目的を達するために、以下のように構成している。
【０００９】
この硬貨繰出機構は、複数枚の硬貨を収納する硬貨収納部と、前記硬貨収納部から前記硬貨を外部に送出する送出部に向かって、前記複の硬貨を運搬する硬貨運搬部と、前記硬貨収納部と前記送出部との間に配置され、複数枚の硬貨が重なった状態で前記送出部に達するのを、規制する規制部材と、前記規制部材が前記基準位置から変位した変位量を検出する変位検出部と、を備える。前記硬貨運搬部は、前記変位検出部によって検出された前記変位量が所望の閾値を超えた場合、前記硬貨の運搬方向を前記硬貨収納部に戻す方向にする。
【００１０】
この構成により、硬貨繰出機構は、変位検出部が規制部材の変位量を検出し、硬貨運搬部が規制部材で詰まった硬貨を硬貨収納部に戻すことで、硬貨の詰まりを解消することができる。つまり、この構成により硬貨繰出機構は、簡単な構成で、硬貨収納部に収納されている硬貨を１枚ずつ分離して繰り出すことができる。
【００１１】
また、この硬貨繰出機構では、前記硬貨運搬部は、前記硬貨収納部に収納されている硬貨に接触する接触面を有する回転円盤を、前記接触面に貫通する方向に延びる回転軸を中心にして回転させることによって、前記硬貨収納部に収納されている硬貨を、前記送出部に向かって運搬することが好ましい。
【００１２】
このように構成すれば、硬貨繰出機構は、回転円盤を回転させて硬貨を運搬するので、より簡単な機構で、硬貨を一枚ずつ分離して送出部まで運搬することができる。
【００１３】
また、この硬貨繰出機構では、前記硬貨運搬部は、前記硬貨を前記硬貨収納部から前記送出部に向かって運搬する運搬路の速度が変化した場合、前記変位検出部によって検出された前記変位量に応じて、前記硬貨収納部に戻す方向に前記硬貨を運搬する時間を設定してもよい。
【００１４】
このように構成すれば、硬貨繰出機構では、硬貨が規制部材に詰まったときにこの硬貨を硬貨収納部に戻す場合と、異物が規制部材に詰まったときにこの異物を硬貨収納部に戻す場合とで、異なった時間でこれらを運搬することができる。つまり、硬貨繰出機構は、効率よく硬貨を繰り出すことができる。
【００１５】
また、この硬貨繰出機構では、前記規制部材は、回動軸を中心に、前記基準位置から前記異なる位置へ変位してもよい。
【００１６】
また、この硬貨繰出機構では、前記変位検出部は、前記回動軸の回転量を検出するロータリーエンコーダを有してもよい。
【００１７】
このように構成すれば、硬貨繰出機構は、より簡単な構造で、規制部材の変位を検出することができる。
【発明の効果】
【００１８】
この発明によれば、簡単な構成で、硬貨収納部に収納されている硬貨を１枚ずつ分離して繰り出すことができる。
【図面の簡単な説明】
【００１９】
【図１】券売機の主要部の構成を示すブロック構成図である。
【図２】券売機の外観を示す概略図である。
【図３】硬貨処理ユニットの主要部の構成を示すブロック構成図である。
【図４】硬貨繰出部の主要部の構成を示す構成図である。
【図５】硬貨繰出部の概略図である。
【図６】硬貨繰出部の正面図である。
【図７】図７（Ａ）は、回転円盤の接触面を概念的に示す概略図であり、図７（Ｂ）は、図８（Ａ）におけるＢ−Ｂ方向の断面の概略図である。
【図８】硬貨繰出部によって硬貨搬送路に繰り出される硬貨の動きを説明する説明図である。
【図９】図９（Ａ）は、硬貨が回転円盤と規制部材との間に詰まった状態を示す説明図であり、図９（Ｂ）は、図９（Ａ）におけるＣ−Ｃ方向の断面図である。
【図１０】券売機における切符等の乗車券の発券処理の一例を示すフローチャートである。
【図１１】券売機におけるＩＣカードへのチャージ処理の一例を示すフローチャートである。
【図１２】硬貨繰出部の硬貨繰出処理の一例を示すフローチャートである。
【図１３】変形例にかかる硬貨繰出部の硬貨繰出処理を示すフローチャートである。
【発明を実施するための形態】
【００２０】
以下、この発明の実施形態である硬貨繰出機構を備える券売機１について説明する。
【００２１】
＜１．適用例＞
図１は、この発明の実施形態にかかる券売機１の主要部の構成を示すブロック図である。図２は、券売機１の外観を示す概略図である。券売機１は、図１に示すように、制御ユニット２と、表示ユニット３と、操作ユニット４と、発券ユニット５と、硬貨処理ユニット６と、紙幣処理ユニット７と、無線通信ユニット８と、通信ユニット９と、を備えている。この例における券売機１は、駅に設置され、利用者が貨幣を投入することで切符等の乗車券を発券する。また、この券売機１は、利用者が乗車券として使用できるＩＣカードに対するチャージ（入金）等の処理も行う。券売機１は、図２に示すように、券売機１の本体１０の正面に表示器３ａを有する。利用者は、この表示器３ａに表示される内容に応じて、種々の操作を行う。
【００２２】
＜２．構成例＞
制御ユニット２は、図１に示すように、券売機１が備える表示ユニット３、操作ユニット４、発券ユニット５、硬貨処理ユニット６、紙幣処理ユニット７、無線通信ユニット８、及び通信ユニット９の各ユニットを制御する。
【００２３】
表示ユニット３は、図２に示すように、本体１０に設けられた表示器３ａを有し、表示器３ａに表示する画面の表示を制御する。
【００２４】
操作ユニット４は、表示器３ａの画面上に貼付されたタッチパネル４ａ及びテンキーを有するキー操作部４ｂ等の入力デバイスを有する。操作ユニット４は、入力デバイスにおける利用者の入力操作を検出し、検出した入力操作を制御ユニット２に通知する。
【００２５】
発券ユニット５は、乗車券を発行する。券売機１は、発券口５ａ又はカード挿入口５ｂ等を本体１０の正面に設けている。発券口５ａは、利用者に対して発券する乗車券を放出する。また、カード挿入口５ｂは、利用者によって挿入されたＩＣカードの取り込みと、処理を行ったＩＣカードの放出とを行う。発券ユニット５は、カード挿入口５ｂに挿入されたＩＣカードを取り込み、このＩＣカードに記憶されているカードデータを読み取る。また、発券ユニット５は、ＩＣカードに対するカードデータの書き込み（カードデータの更新）等も行う。そして、発券ユニット５は、利用者にこのＩＣカードを返却するために、カード挿入口５ｂから放出する。
【００２６】
硬貨処理ユニット６は、乗車券の発券等にかかる取引金額の精算に用いる硬貨を受け付ける。また、硬貨処理ユニット６は、利用者に対してつり銭硬貨の放出を行う。券売機１は、硬貨投入口６ａ、及びつり銭硬貨受皿６ｂを本体１０の正面に設けている。硬貨投入口６ａは、複数枚の硬貨が重なった状態であっても、券売機１の本体１０に投入できる形状である。硬貨処理ユニット６は、利用者が投入した投入硬貨や、利用者に対してつり銭として放出するつり銭硬貨について、金種及び真偽を識別する硬貨識別部２３を有している。硬貨処理ユニット６の詳細については後述する。
【００２７】
紙幣処理ユニット７は、乗車券の発券等にかかる取引金額の精算に用いる紙幣を受け付ける。また、紙幣処理ユニット７は、利用者に対してつり銭紙幣の放出を行う。券売機１は、紙幣投入口７ａ、及び紙幣放出口７ｂを本体１０の正面に設けている。紙幣処理ユニット７は、紙幣投入口７ａにおいて利用者が投入した投入紙幣、又は紙幣放出口７ｂにおいて利用者に放出するつり銭紙幣について、金種及び真偽を識別する。
【００２８】
無線通信ユニット８は、ＩＣカードに記憶されているカードデータを無線通信によって読み取る。また、無線通信ユニット８は、ＩＣカードに対するカードデータの書き込みを、無線通信によって実行する。
【００２９】
通信ユニット９は、ネットワークを介して、自動改札機（不図示）や駅サーバ等（不図示）の駅務機器や、他の券売機１との間における通信を行う。
【００３０】
硬貨処理ユニット６について図３を参照して具体的に説明する。図３は、この例にかかる硬貨処理ユニット６の主要部の構成を示すブロック構成図である。硬貨処理ユニット６は、図３に示すように、制御部２０と、硬貨繰出部２１と、硬貨搬送部２２と、硬貨識別部２３とを備えている。
【００３１】
制御部２０は、硬貨処理ユニット６の各部の動作を制御する。また、制御部２０は、制御ユニット２との間における入出力を行う。
【００３２】
硬貨繰出部２１は、硬貨投入口６ａ（図２参照）に投入された硬貨を、１枚ずつ分離して、硬貨搬送路に案内する。この硬貨繰出部２１がこの発明にかかる硬貨繰出機構を有する。
【００３３】
硬貨搬送部２２は、硬貨繰出部２１によって硬貨搬送路に案内された硬貨を、硬貨搬送路に沿って搬送する。
【００３４】
硬貨識別部２３は、硬貨搬送路に沿って搬送されている硬貨毎に、金種及び真偽を識別する。
【００３５】
また、硬貨搬送部２２は、硬貨識別部２３における金種、及び真偽の識別硬貨に応じて、金種別に設けられている硬貨スタッカに搬送し、収納する。
【００３６】
硬貨繰出部２１について、具体的に説明する。図４は、硬貨繰出部２１の主要部の構成を示す構成図である。図５は、硬貨繰出部２１の概略図である。図６は、硬貨繰出部２１の正面図（図５に示すＡ方向の矢視図）である。図７（Ａ）は、回転円盤４１の接触面４１１を概念的に示す概略図であり、図７（Ｂ）は、図７（Ａ）におけるＢ−Ｂ方向の断面の概略図である。図８は、硬貨繰出部２１によって硬貨収納部４０から硬貨搬送路に繰り出される硬貨の動きを説明する図である。
【００３７】
硬貨繰出部２１は、図４に示すように、制御部３０と、硬貨運搬部３１と、モータ３２と、エンコーダ３３と、通過検出部３４と、変位検出部３５とを備えている。また、硬貨繰出部２１には、図５及び図６に示すように、硬貨収納部４０と、回転円盤４１と、送出部４２と、規制部材４３とが設けられている。
【００３８】
制御部３０は、図４に示すように、硬貨運搬部３１、エンコーダ３３、通過検出部３４及び変位検出部３５の各部の動作を制御する。また、制御部３０は、硬貨収納部４０に硬貨があるかどうかをセンサを使用して検出する。センサは、例えば反射式の光電センサ、又は透過式の光電センサの何れであってもよい。さらに、硬貨収納部４０の開閉口４０１の開閉を制御する。また、制御部３０は、硬貨処理ユニット６の制御部２０との間における入出力を行う。
【００３９】
回転円盤４１は、外形形状が円形又は略円形である板状の部材である。
【００４０】
硬貨収納部４０は、図５に示すように、利用者等が硬貨投入口６ａ（図２参照）から投入した硬貨が流れ込み、この流れ込んだ硬貨を一時的に収納する。また硬貨収納部４０には、開閉口４０１が設けられている。
【００４１】
回転円盤４１は、その一部が硬貨収納部４０内に位置し、一方の面が硬貨収納部４０内に収納されている硬貨と接触するように配置されている。硬貨と接触する回転円盤４１の一方の面が、この発明で言う接触面（以下、この面を接触面４１１と言う）に相当する。硬貨収納部４０内に収納された硬貨は、回転円盤４１によって、この回転円盤４１の接触面４１１の反対面側に移動するのを阻止される。接触面４１１がこの発明でいう運搬路に相当する。
【００４２】
モータ３２は、回転円盤４１を回転させる。モータ３２は、パルスモータ又はＤＣモータのどちらであってもよい。
【００４３】
硬貨運搬部３１は、モータ３２の回転軸３２ａの回転速度（硬貨を運搬する速度）、すなわち回転円盤４１の回転速度を制御する。また、硬貨運搬部３１は、モータ３２の回転軸３２ａの回転方向を切り替える制御を行う。
【００４４】
硬貨運搬部３１は、エンコーダ３３の出力により、モータ３２の回転軸３２ａの回転速度を検出する。なお、エンコーダ３３は、モータ３２の回転軸３２ａの回転速度を検出するものであってもよい。また、エンコーダ３３は、回転円盤４１の回転速度を検出するものであってもよい。すなわち、エンコーダ３３は、モータ３２の回転軸３２ａの回転速度を直接、又は間接的に検出できる構成であれば、どのような構成であってもよい。
【００４５】
モータ３２の回転軸３２ａは、図６、図７（Ａ）及び図７（Ｂ）に示すように、回転円盤４１の接触面４１１に直交又は略直交に貫通する軸である。また、回転軸３２ａは、回転円盤４１の中心又は略中心にある。また、回転軸３２ａは、回転円盤４１の接触面４１１が鉛直方向に対して傾斜面になるように回転円盤４１に取り付けられている。例えば、回転軸３２ａは、鉛直方向と回転円盤４１の接触面４１１とのなす角度が、１０°〜３０°程度になるように回転円盤４１に取り付けられている。この例では、回転円盤４１は、硬貨の繰出時、モータ３２によって、図７（Ａ）に示す回転方向（反時計回り）に回転させられる。
【００４６】
また、回転円盤４１の接触面４１１には、図５、図６、図７（Ａ）及び図７（Ｂ）に示されるように、複数の突起４１ａが形成されている。図７（Ａ）は、中心が回転円盤４１の中心である円周上に等間隔に突起４１ａを５個形成した例を示している。なお、隣接する２つの突起４１ａの間隔は、取り扱う最大径の硬貨の直径よりも長ければ、等間隔でなくてもよい。回転円盤４１が回転すると、この回転円盤４１の接触面４１１に形成した突起４１ａが硬貨収納部４０に収納されている硬貨を引っ掛けて掻き出す。
【００４７】
なお、突起４１ａは、中心が回転円盤４１の中心であり、半径が異なる複数の円周上毎に形成されてもよい。
【００４８】
硬貨繰出部２１には、図５及び図６に示すように、規制部材４３及び送出部４２が、この順に、回転円盤４１の回転方向（反時計回り）に並んでいる。
【００４９】
送出部４２は、硬貨繰出部２１から外部に繰り出す硬貨を、硬貨搬送路（不図示）に送出する。
【００５０】
通過検出部３４は、硬貨が送出部４２を通過したかどうかを検出する。通過検出部３４は、例えば、光電センサ、であって、反射式の光電センサによって硬貨が送出部４２を通過したかどうかを検出する。通過検出部３４は、制御部３０が有するタイマを使用して一定の間隔で硬貨が送出部４２を通過したかどうかを検出する。通過検出部３４は、反射式の光電センサに限らず、透過式の光電センサでもよい。
【００５１】
規制部材４３は、回転円盤４１の接触面４１１との間に、隙間ができるように配置されている。この隙間は、取り扱う最大厚の硬貨の厚さよりも少し大きい（例えば、２ｍｍ程度の隙間である）。また、この隙間は、取り扱う硬貨２枚分の厚さよりも小さい。
【００５２】
規制部材４３は、図５及び図６に示すように、回動軸５１に回動自在に取り付けられている。規制部材４３は、回転円盤４１の接触面４１１に対向する規制面を有する。つまり、硬貨が通る上述の隙間は、接触面４１１と規制面との間の空間を示す。
【００５３】
規制部材４３は、図８に示すように、回動軸５１に取り付けたコイルばね５２により、回動軸５１を中心にして反時計方向に回動する向きに付勢されている。また、硬貨繰出部２１には、規制部材４３が基準位置から反時計方向に向かう回動を制限するストッパ（不図示）が設けられている。また、硬貨繰出部２１には、基準位置から時計方向に回動した規制部材４３を、所望の位置で時計方向に向かう回動を制限するストッパ（不図示）が設けられている。つまり、規制部材４３は、２つのストッパの間で回動可能である。この発明で言う規制部材４３の基準位置は、規制部材が回動していない状態の位置である。つまり、この例にかかる規制部材４３の基準位置とは、長手方向が回動軸５１と回転円盤４１の中心とを結ぶ方向と並行する方向となる位置である。
【００５４】
変位検出部３５は、規制部材４３が基準位置から異なる位置に変位した変位量を検出する。つまり、変位検出部３５は、規制部材４３が基準位置から回動軸５１を中心に時計方向に回動した変位量を検出する。変位検出部３５は、例えば、回動軸５１の回転量を検出するロータリーエンコーダを有する。
【００５５】
ここで、硬貨繰出部２１によって、硬貨収納部４０から硬貨搬送路に繰り出される硬貨の動きについて、図８を参照して説明する。回転円盤４１は、モータ３２によって、反時計回りに回転させられている。
【００５６】
硬貨運搬部３１は、回転している回転円盤４１の接触面４１１に設けた突起４１ａが、硬貨収納部４０に収納されている硬貨Ａ、Ｂ、Ｃ、Ｄの側面を引っ掛け、この硬貨Ａ、Ｂ、Ｃ、Ｄを硬貨収納部４０から掻き出す。
【００５７】
硬貨収納部４０から掻き出された硬貨Ａ、Ｂ、Ｃ、Ｄは、回転円盤４１の回転に伴って、規制部材４３に運搬される。上述したように、回転円盤４１の接触面４１１は、鉛直方向に対して傾斜面になっている。したがって、突起４１ａが側面を引っ掛けた硬貨Ａ、Ｂ、Ｃ、Ｄは、回転円盤４１の接触面４１１に載置された状態である。
【００５８】
硬貨Ａ、Ｂ、Ｃ、Ｄは、回転円盤４１の回転によって、規制部材４３に達すると、回転円盤４１の接触面４１１と、規制部材４３の規制面との間の隙間を通って、送出部４２に運搬される。
【００５９】
送出部４２に運搬された硬貨は、送出部４２によって、硬貨繰出部２１の外部に設けられている硬貨搬送路に送られる。このとき、通過検出部３４は、硬貨が送出部４２を通過することを検出する。
【００６０】
ところで、例えば、硬貨が別の硬貨に乗り上げた状態、又は回転円盤４１の突起４１ａに乗り上げた状態で規制部材４３に達すると、回転円盤４１の接触面４１１と規制部材４３の規制面との間に硬貨が詰まることがある。図９（Ａ）は、硬貨Ｃに乗り上げた硬貨Ｂが、回転円盤４１の接触面４１１と規制部材４３の規制面との間に詰まった状態を示す説明図である。図９（Ｂ）は、図９（Ａ）におけるＣ−Ｃ方向の断面図である。
【００６１】
規制部材４３は、図９（Ａ）及び図９（Ｂ）に示すように、硬貨Ｂ及び硬貨Ｃが重なり合って、回転円盤４１の接触面４１１と規制部材４３の規制面との間を通過しようとすると、硬貨Ｂ及び硬貨Ｃが重なり合った状態で規制部材４３を時計方向に変位（時計方向に回動）させる。
【００６２】
回転円盤４１の接触面４１１と規制部材４３の規制面との間に硬貨Ｂ及び硬貨Ｃが詰まると、この詰まった硬貨Ｂ及び硬貨Ｃが負荷となって、回転円盤４１の回転速度（運搬路の速度）が低下する。
【００６３】
接触面４１１と規制部材４３の規制面との間に硬貨Ｂ及び硬貨Ｃが詰まると、硬貨Ｂ又は硬貨Ｃは、送出部４２に運搬されないので、通過検出部３４は、硬貨Ｂ及び硬貨Ｃが送出部４２を通過したことを検出することができない。
【００６４】
回転円盤４１の回転速度が低下し、通過検出部３４によって硬貨Ｂ及び硬貨Ｃが送出部４２を通過したことが検出されない場合、変位検出部３５は、規制部材４３の変位量を検出する。
【００６５】
硬貨運搬部３１は、変位検出部３５によって検出された変位量が予め定めた閾値以上であれば、詰まった硬貨Ｂ及び硬貨Ｃの運搬方向を硬貨収納部４０に戻す方向（時計回り）に回転円盤４１の回転を切り替える。これにより、回転円盤４１の接触面４１１と規制部材４３の規制面との間に詰まっている硬貨Ｂ及び硬貨Ｃは、回転円盤４１の接触面４１１と規制部材４３の規制面との間から離れて、硬貨収納部４０に戻る（落ちる）。
【００６６】
規制部材４３は、硬貨Ｂ及び硬貨Ｃの詰まりが解消されることで、コイルばね５２の付勢力によって、反時計方向に回動する。言い換えると、規制部材４３は、硬貨Ｂ及び硬貨Ｃの詰まりが解消されることで、送出部４２側に変位した位置から基準位置に戻る。
【００６７】
この例にかかる硬貨繰出部２１は、規制部材４３が、重なった状態で運搬された硬貨Ｂ及び硬貨Ｃを送出部４２側に変位（回動）した位置で規制する。この例にかかる硬貨繰出部２１は、変位検出部３５によって規制部材４３の変位量を検出し、変位量が閾値以上であれば、硬貨Ｂ及び硬貨Ｃを硬貨収納部４０に戻す。これにより、この例にかかる硬貨繰出部２１は、簡単な構成で、硬貨収納部に収納されている硬貨を１枚ずつ分離して繰り出すことができる。
【００６８】
なお、硬貨繰出部２１の制御部３０は、ハードウェアＣＰＵ、メモリ、その他の電子回路によって構成されている。制御部３０は、ハードウェアＣＰＵ、メモリ等を一体化したＬＳＩであってもよい。また、ハードウェアＣＰＵが、この発明にかかる硬貨繰出方法を実行するコンピュータである。
【００６９】
＜３．動作例＞
図１０は、硬貨を受け付けた券売機１における切符等の乗車券の発券処理を示すフローチャートである。券売機１における切符等の乗車券の発券処理について、図１０を参照して説明する。なお、以下の動作は一例に過ぎず、これに限定されない。また、券売機１は、利用者による貨幣（硬貨や紙幣）の投入を受け付ける。
【００７０】
利用者が投入する貨幣は硬貨、又は紙幣の一方であってもよいし、両方であってもよい。硬貨は硬貨投入口６ａに投入される。紙幣は紙幣投入口７ａに投入される。
【００７１】
券売機１は、少なくとも硬貨又は紙幣の何れか一方が硬貨投入口６ａ又は紙幣投入口７ａに投入された場合（Ｓ１１：Ｙｅｓ）、後述する貨幣処理を行う（Ｓ１２）。券売機１は、投入された硬貨の投入金額の合計金額を算出する（Ｓ１３）。
【００７２】
券売機１は、利用者が希望する乗車券の発券を操作ユニット４によって受け付ける（Ｓ１５）。このとき、券売機１は、利用者が投入した合計金額以上の乗車券を選択できないように表示器３ａに表示させる。
【００７３】
券売機１は、受け付けた乗車券を発券する発券ユニット５によって乗車券を発券口５ａから放出させる（Ｓ１５）。券売機１は、利用者に対してつり銭を返却する必要があるか否かを判定する（Ｓ１６）、券売機１は、利用者につり銭を返却する必要があると判定した場合（Ｓ１６：Ｙｅｓ）、つり銭を算出する（Ｓ１７）。そして、券売機１は、つり銭を放出し（Ｓ１８）、処理を終了する。
【００７４】
このとき、つり銭として硬貨（つり銭硬貨）を放出する場合、硬貨処理ユニット６が、つり銭硬貨をつり銭硬貨受皿６ｂに放出する。
【００７５】
図１１は、硬貨が投入された券売機１におけるＩＣカードへのチャージ処理を示すフローチャートである。券売機１におけるＩＣカードへのチャージ処理ついて図１１を参照して説明する。なお、以下の動作は一例に過ぎず、これに限定されない。
【００７６】
券売機１は、カード挿入口５ｂに挿入されたＩＣカードを取り込む（Ｓ２１）。券売機１は、ＩＣカードに記録されているカードデータを無線通信ユニット８によって読み取る（Ｓ２２）。券売機１は、硬貨又は紙幣の少なくとも一方の投入を受け付ける（Ｓ２３）。
【００７７】
券売機１は、後述する貨幣処理を行う（Ｓ２４）。券売機１は、利用者が希望するチャージ金額の指定を操作ユニット４によって受け付ける（Ｓ２５）。券売機１は、指定されたチャージ金額をＩＣカードに発券ユニット５によってチャージする（Ｓ２６）。券売機１は、ＩＣカードのカードデータを無線通信ユニット８によって更新する（Ｓ２７）。券売機１は、カードデータを更新したＩＣカードをカード挿入口５ｂに放出する（Ｓ２８）。券売機１は、利用者に対してつり銭を返却する必要があるか否かを判定する（Ｓ２９）、券売機１は、利用者につり銭を返却する必要があると判定した場合（Ｓ２９：Ｙｅｓ）、つり銭を算出する（Ｓ３０）。そして、券売機１は、つり銭を放出し（Ｓ３１）、処理を終了する。なお、つり銭の放出は、上述した発券処理と同じである。
【００７８】
上述による発券処理又はチャージ処理の貨幣処理には、紙幣繰出処理と硬貨繰出処理とを備えている。紙幣繰出処理は、投入された紙幣を一枚ずつ繰り出す処理である。また、硬貨繰出処理は、投入された硬貨を一枚ずつ硬貨搬送路へ送出する処理である。ここで、上述による発券処理又はチャージ処理で、硬貨が硬貨投入口６ａに投入された場合における硬貨繰出処理について説明する。
【００７９】
硬貨繰出部２１の硬貨繰出処理について図１２を参照して説明する。図１２は、硬貨繰出部２１の硬貨繰出処理の一例を示すフローチャートである。上述による発券処理又はチャージ処理で、硬貨が投入されると、貨幣処理（Ｓ１２、Ｓ２４）は、硬貨繰出処理を開始する。処理を開始する際、規制部材４３は、基準位置に配置され、さらに変位検出部３５のカウントは、リセットされているものとする。なお、以下の動作は一例に過ぎず、これに限定されない。
【００８０】
上述の発券処理又はチャージ処理が開始されて、複数の硬貨が硬貨投入口６ａに投入され、複数の硬貨が硬貨収納部４０に収納されると、硬貨運搬部３１は、回転円盤４１を反時計回りに回転させる（Ｓ４１）。
【００８１】
硬貨運搬部３１が硬貨収納部４０から硬貨を外部（硬貨搬送路）に送出する送出部４２に向かって、複数の硬貨を運搬している間、エンコーダ３３は、回転円盤４１の回転速度を検出する（Ｓ４２）。回転円盤４１の回転速度が低下した場合（Ｓ４３：Ｙｅｓ）、通過検出部３４は、硬貨が送出部４２を通過したかどうか検出する（Ｓ４４）。通過検出部３４が硬貨が送出部４２を通過したことを検出した場合（Ｓ４４：Ｙｅｓ）、制御部３０は、硬貨収納部４０に硬貨があるかどうかを検出する（Ｓ４５）。硬貨収納部４０に硬貨がなければ（Ｓ４５：Ｙｅｓ）、制御部３０は、処理を終了する。また、硬貨収納部４０に硬貨があれば（Ｓ４５：Ｎｏ）、制御部３０は、処理をＳ４１に戻す。
【００８２】
一方、通過検出部３４が硬貨が送出部４２を通過したのを検出しなかった場合（Ｓ４４：Ｎｏ）、制御部３０は、タイマ等を使用して前回硬貨が通過したときから一定時間経過しているかどうかを検出する（Ｓ４６）。制御部３０が前回硬貨が通過したときから一定時間経過しているのを検出した場合（Ｓ４６：Ｙｅｓ）、硬貨運搬部３１は、硬貨が硬貨収納部４０に落ちる（収納される）位置になるまで、回転円盤４１を時計回りに回転させる（Ｓ４７）。
【００８３】
制御部３０が前回硬貨が通過したときから一定時間経過しているのを検出しない場合（Ｓ４６：Ｎｏ）、回転円盤４１の接触面４１１と規制部材４３の規制面との間に硬貨が詰まっているとして、変位検出部３５は、規制部材４３の変位量が閾値以上か否かを検出する（Ｓ４８）。規制部材４３の変位量が閾値以上の場合（Ｓ４８：Ｙｅｓ）、制御部３０は、処理をＳ４７へ移動する。
【００８４】
また、規制部材４３の変位量が閾値より低い場合（Ｓ４８：Ｎｏ）、制御部３０は、処理をＳ４４に移動する。
【００８５】
この例にかかる硬貨繰出部２１は、規制部材４３が、重なった状態で運搬された硬貨を送出部４２側に変位した位置で規制する。この例にかかる硬貨繰出部２１は、変位検出部３５によって規制部材４３の変位量を検出し、変位量が閾値以上であれば、回転円盤４１と規制部材４３との間で詰まった硬貨を硬貨収納部４０に戻す。これにより、この例にかかる硬貨繰出部２１は、簡単な構成で、硬貨収納部４０に収納されている硬貨を１枚ずつ分離して繰り出すことができる。
【００８６】
＜４．変形例＞
この変形例の硬貨繰出部２１では、異物が混入した場合を想定する。例えば、硬貨繰出部２１は、異物が規制部材４３に詰まった場合、この異物を硬貨収納部４０に戻し外部へ排出する必要がある。
【００８７】
この変形例の硬貨繰出部２１の硬貨繰出処理について図１３を参照して説明する。図１３は、変形例の硬貨繰出部２１の硬貨繰出処理を示すフローチャートである。なお、以下に説明する第１の回転量と第２回転量は異なる値である。
【００８８】
なお、図１３で示される処理Ｓ５１〜Ｓ５６は、図１２で示される処理Ｓ４１〜４６と同じであるので、説明を省略する。
【００８９】
制御部３０は、前回硬貨が通過したときから一定時間経過しているのを検出した場合（Ｓ５６：Ｙｅｓ）、回転円盤４１の接触面４１１と規制部材４３の規制面との間に硬貨が詰まっているとして、硬貨運搬部３１は、回転円盤４１を時計回りに第１の回転量で回転させる（Ｓ５７）。
【００９０】
一方、制御部３０が前回硬貨が通過したときから一定時間経過しているのを検出しない場合（Ｓ５６：Ｎｏ）、変位検出部３５は、規制部材４３の変位量が閾値以上か否かを検出する（Ｓ５８）。規制部材４３の変位量が閾値以上の場合（Ｓ５８：Ｙｅｓ）、回転円盤４１の接触面４１１と規制部材４３の規制面との間に異物が詰まっているとして、硬貨運搬部３１は、回転円盤４１を時計回りに第２の回転量で回転させる（Ｓ５９）。制御部３０は、硬貨収納部４０の開閉口４０１を開いて詰まった異物等を外部（銭硬貨受皿６ｂ）に排出する（Ｓ６０）。
【００９１】
また、規制部材４３の変位量が閾値より低い場合（Ｓ５８：Ｎｏ）、制御部３０は、処理をＳ５４に移動する。
【００９２】
この変形例にかかる硬貨繰出部２１では、硬貨又は異物を排出するときの回転量が硬貨の繰り出しをリトライする場合の回転量と異なる。このようにすることで、この変形例にかかる硬貨繰出部２１は、効率よく硬貨を繰り出すことができる。
【００９３】
また、別の変形例にかかる硬貨繰出部２１では、制御部３０は、変位検出部３５によって検出された変位量に応じて、回転円盤４１の回転時間を設定してもよい。例えば、硬貨の繰り出しをリトライさせたい場合、回転円盤４１の回転時間を、硬貨を銭硬貨受皿６ｂに排出する場合の回転時間よりも短くする。この変形例にかかる硬貨繰出部２１は、効率よく硬貨を繰り出すことができる。
【００９４】
また、別の変形例の硬貨繰出部２１は、券売機１に使用される例に限定されず、例えば、病院等の精算機、食券販売用の券売機等に使用されてもよい。
【００９５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００９６】
さらに、この発明にかかる構成と上述した実施形態にかかる構成との対応関係は、以下の付記のように記載できる。  
＜付記＞
複数枚の硬貨を収納する硬貨収納部（４０）と、前記硬貨収納部（４０）から硬貨を外部に送出する送出部（４２）に向かって、前記複数の硬貨を運搬する硬貨運搬部（３１）と、前記硬貨収納部（４０）と前記送出部（４２）との間に配置され、複数枚の硬貨が重なった状態で前記送出部（４２）に達するのを、基準位置から規制する規制部材（４３）と、前記規制部材（４３）が前記基準位置から変位した変位量を検出する変位検出部（３５）と、を備え、前記硬貨運搬部（３１）は、前記変位検出部（３５）によって検出された前記変位量が所望の閾値を超えた場合、前記硬貨の運搬方向を前記硬貨収納部（４０）に戻す方向にする、硬貨繰出機構（２１）。
【符号の説明】
【００９７】
２１…硬貨繰出部（硬貨繰出機構）
３１…硬貨運搬部
３５…変位検出部
４０…硬貨収納部
４１…回転円盤
４２…送出部
４３…規制部材
５１…回動軸
３２ａ…回転軸
【図１】
2019159854.tif 000003
【図２】
2019159854.tif 000004
【図３】
2019159854.tif 000005
【図４】
2019159854.tif 000006
【図５】
2019159854.tif 000007
【図６】
2019159854.tif 000008
【図７】
2019159854.tif 000009
【図８】
2019159854.tif 000010
【図９】
2019159854.tif 000011
【図１０】
2019159854.tif 000012
【図１１】
2019159854.tif 000013
【図１２】
2019159854.tif 000014
【図１３】
2019159854.tif 000015